(57)【要約】 【課題】ＬＥＤ表示基板に放熱効果を持たせ、ＬＥＤの寿命や信頼性を高めることができるようにしたＬＥＤ式信号灯器を提供する。【解決手段】商用電源を整流して信号用の灯光を発するＬＥＤ（発光ダイオード）表示基板を備えたＬＥＤ式信号灯器１０であって、ＬＥＤ表示基板２０は、プリント基板２１の半田面パタン２２を必要線幅より広く基板面全体に広がるよう敷設し、半田面パタン２２をレジスト２５抜きとし、ＬＥＤで発生した熱を半田面パタン２２に伝達して放熱するようにした。【選択図】図１
2005285532.tif 000002
【特許請求の範囲】
【請求項１】
商用電源を整流して信号用の灯光を発するＬＥＤ（発光ダイオード）表示基板を備えたＬＥＤ式信号灯器であって、
前記ＬＥＤ表示基板は、プリント基板の半田面パタンを必要線幅より広く基板面全体に広がるよう敷設し、該半田面パタンをレジスト抜きとし、ＬＥＤで発生した熱を半田面パタンに伝達して放熱するようにしたことを特徴とするＬＥＤ式信号灯器。
【発明の詳細な説明】
【技術分野】
【０００１】
本発明は、商用電源を整流して信号用の灯光を発するＬＥＤ（発光ダイオード）に電力を供給するようにしたＬＥＤ式信号灯器に関する。
【背景技術】
【０００２】
従来の技術としては、例えば特許文献１に示すようなものがある。  
すなわち、特許文献１の特開２００３−２７３５５５号公報には、発熱する電子部品と熱伝導性を有する電子部品とを半田面パタンを介して熱的に結合し、発熱する電子部品の熱を放熱する技術が開示されている。
【０００３】
【特許文献１】特開２００３−２７３５５５号公報
【発明の開示】
【発明が解決しようとする課題】
【０００４】
しかしながら、このような従来の技術では、半田面パタンは電流容量のみを考慮したパタン幅であり、この半田面パタンを熱伝導させる中継としてしか利用していないものであるので、半田面パタンによる放熱効果を有効に利用しておらず、また、ＬＥＤが点灯しているとき発生する熱に対しては有効とは言えず、ＬＥＤが高温になるのを防止し、寿命や信頼性を高める対策とすることができないという問題点があった。
【０００５】
本発明は、このような従来の技術が有する問題点に着目してなされたもので、ＬＥＤ表示基板で放熱の効果を高くするようにして、ＬＥＤの寿命や信頼性を高めることができるようにしたＬＥＤ式信号灯器を提供することを目的としている。
【課題を解決するための手段】
【０００６】
かかる目的を達成するための本発明の要旨とするところは、次の発明に存する。  
商用電源を整流して信号用の灯光を発するＬＥＤ（発光ダイオード）表示基板（２０）を備えたＬＥＤ式信号灯器（１０）であって、
前記ＬＥＤ表示基板（２０）は、プリント基板（２１）の半田面パタン（２２）を必要線幅より広く基板面全体に広がるよう敷設し、該半田面パタン（２２）をレジスト（２５）抜きとし、ＬＥＤで発生した熱を半田面パタン（２２）に伝達して放熱するようにしたことを特徴とするＬＥＤ式信号灯器（１０）。
【０００７】
前記本発明は次のように作用する。  
本発明に係るＬＥＤ式信号灯器（１０）は、商用電源を整流して信号用の灯光を発するＬＥＤに電力を供給するものである。ＬＥＤ表示基板（２０）は、プリント基板（２１）の半田面パタン（２２）を必要線幅より広く基板面全体に広がるよう敷設し、かつ半田面パタン（２２）をレジスト（２５）抜きとしてあるので、ＬＥＤで発生した熱は半田面パタン（２２）に伝達して放熱される。
【発明の効果】
【０００８】
本発明に係るＬＥＤ式信号灯器によれば、ＬＥＤ表示基板を、プリント基板の半田面パタンを必要線幅より広く基板面全体に広がるよう敷設し、かつ半田面パタンをレジスト抜きとしたので、ＬＥＤで発生した熱は半田面パタンに伝達して放熱され、ＬＥＤの熱ストレスに対する寿命や信頼性を高めることができる。
【発明を実施するための最良の形態】
【０００９】
以下、図面に基づき本発明の好適な一実施の形態を説明する。
図１〜図７は本発明の一実施の形態を示している。  
ＬＥＤ式信号灯器１０は、形態は図６および図７に示すとおりであり、商用電源を整流して信号用の灯光を発するＬＥＤに直流を供給するようにしたものである。ＬＥＤ式信号灯器１０は、通常は青、黄、赤の３組で構成され、それぞれの組は同様の構成をしており、ＬＥＤユニット１１が前面扉１５と筐体１７との間に収納されて成る。
【００１０】
ＬＥＤユニット１１は、ＬＥＤ１２を多数備えたＬＥＤ表示基板２０と、駆動回路基板とを収納し、それに前面レンズ１４が一体的に構成されて成る。前面扉１５は、ＬＥＤユニット１１の前面レンズ１４を前方に開放する開口部１６を有し、フード１５ａが装着されており、ＬＥＤユニット１１の前面レンズ１４がこの開口部１６で固定されている。前面扉１５と筐体１７とは結合手段により固結されている。
【００１１】
図１は、ＬＥＤ表示基板２０のプリント基板半田面２０ａをあらわし、図３は、ＬＥＤを装着するプリント基板部品面２０ｂをあらわしている。ＬＥＤ表示基板２０は、プリント基板２１の半田面パタン２２を必要線幅より広く基板面全体に広がるよう敷設し、レジスト２５を施すが、半田面パタン２２はレジスト２５抜きとし、ＬＥＤで発生した熱を半田面パタン２２に伝達して放熱するようにしてある。
【００１２】
図４は、半田面パタン図をあらわしており、図１で示すパタンが敷設されている部分はレジストが抜かれていることがわかる。図５は、レジスト２５を施す前のプリント基板部品面２０ｂをあらわしており、部品面パタン２２ａが施されている。
【００１３】
図２でわかるように、ＬＥＤは、カソード側のリード２６で多く発熱するのであるが、このリード２６がプリント基板部品面２０ｂ側からプリント基板半田面２０ａ側に通して半田２７で溶着されている。半田面パタン２２は、リード２６より広くプリント基板半田面２０ａの面に広がっている。
【００１４】
次に作用を説明する。  
ＬＥＤ式信号灯器１０は、商用電源を整流して、信号用の灯光を発するＬＥＤに電力を供給するものである。ＬＥＤ表示基板２０は、プリント基板２１の半田面パタン２２を必要線幅より広く基板面全体に広がるよう敷設し、かつ半田面パタン２２をレジスト２５抜きとしてあるので、ＬＥＤで発生した熱は半田面パタン２２に伝達して放熱される。
【００１５】
図２でわかるように、ＬＥＤは、カソード側のリード２６で多く発熱するので、プリント基板部品面２０ｂ側からプリント基板半田面２０ａ側に通して半田２７で溶着されているリード２６の発熱が半田面パタン２２に伝達され、熱が空気中に放散される。
【図面の簡単な説明】
【００１６】
【図１】本発明の一実施の形態に係るＬＥＤ式信号灯器のＬＥＤ表示基板のプリント基板半田面の正面図である。
【図２】本発明の一実施の形態に係るＬＥＤ式信号灯器のＬＥＤ表示基板の要部拡大断面図である。
【図３】本発明の一実施の形態に係るＬＥＤ式信号灯器のＬＥＤ表示基板のプリント基板部品面の正面図である。
【図４】本発明の一実施の形態に係るＬＥＤ式信号灯器のＬＥＤ表示基板の半田面パタン図である。
【図５】本発明の一実施の形態に係るＬＥＤ式信号灯器のＬＥＤ表示基板の部品面パタン図である。
【図６】本発明の一の実施の形態に係るＬＥＤ式信号灯器を示す正面図である。
【図７】本発明の一の実施の形態に係るＬＥＤ式信号灯器を示す説明分解断面図である。
【符号の説明】
【００１７】
１０…ＬＥＤ式信号灯器
１１…ＬＥＤユニット
１２…ＬＥＤ
１３…駆動回路収納部
１４…前面レンズ
１５…前面扉
１７…筐体
２０…ＬＥＤ表示基板
２０ａ…プリント基板半田面
２０ｂ…プリント基板部品面
２１…プリント基板
２２…半田面パタン
２５…レジスト
２６…リード
２７…半田
【図１】
2005285532.tif 000003
【図２】
2005285532.tif 000004
【図３】
2005285532.tif 000005
【図４】
2005285532.tif 000006
【図５】
2005285532.tif 000007
【図６】
2005285532.tif 000008
【図７】
2005285532.tif 000009